【手続補正書】
【提出日】平成16年12月8日(2004.12.8)
【手続補正１】
【補正対象書類名】明細書
【補正対象項目名】全文
【補正方法】変更
【補正の内容】
【書類名】明細書
【発明の名称】パネルガラス支持具
【特許請求の範囲】
【請求項１】
ベースプレートに植立した支柱と、該支柱に取り付けられたブラケットと、該ブラケット内に埋設した発熱体と、前記ブラケットの上部に保持されたガラス支持体とを具備し、
該ガラス支持体がブラケットを介して前記発熱体により加熱されるようになっており、前記ブラケットの上部側壁が支柱に取り付けられ、ブラケットに発生する熱膨張がガラス支持体へ及ぶことが防止され、ガラス支持体の変位を抑制するように構成されていることを特徴とするパネルガラス支持具。
【請求項２】
前記支柱に温度制御手段が設けられ、支柱がブラケットから受ける熱に対し温度を制御することを特徴とする請求項１記載のパネルガラス支持具。
【請求項３】
ブラケットと向かい合う前記支柱の側面に熱反射手段が設けられていることを特徴とする請求項１記載のパネルガラス支持具。
【請求項４】
ブラケットと向かい合う前記支柱の側面に断熱材が設けられていることを特徴とする請求項１記載のパネルガラス支持具。
【請求項５】
室温から３００℃までの温度域での前記支柱の熱膨張率が、６×１０−６／℃以下であることを特徴とする請求項１又は２記載のパネルガラス支持具。
【発明の詳細な説明】
【０００１】
【発明の属する技術分野】
本発明は、カラーピンの封着装置等において高温のパネルガラスを保持するためのパネルガラス支持具に関する。
【０００２】
【従来の技術】
ＴＶ用パネルガラスのフランジ部の内壁には、シャドウマスク等を支持するためのカラーピンが封着される。このカラーピンの封着方法として、パネルガラスの内面をピンシール装置に植立されたピンシールポストによって保持し、この状態でカラーピンを電気又はガスで加熱して行う方法が知られている。この場合、カラーピンの封着位置は厳しい精度が要求されるので、前記ピンシールポストによるパネルガラスの保持は極めて重要となる。
【０００３】
従来、このパネルガラスの保持には図３に例示するピンシールポストが用いられている。図３から明らかなように、ピンシールポストは、ブラケット２、ガラス支持体３及び発熱体４からなり、前記ピンシールポストをベースプレート５に４個（図３には１個のみ示す）植立して設け、パネルガラスの内面をこれらのガラス支持体３で保持する。ガラス支持体３はブラケット２の上端に保持され、高温のパネルガラスに対する熱衝撃を緩和するために、前記ブラケット２を介して発熱体４により加熱される構造になっている。
【０００４】
【発明が解決しようとする課題】
従来のピンシールポストは、前述のようにブラケット２の下端がベースプレート５に直接に固定されているため、発熱体４により加熱されたブラケット２が上方向に膨張すると、ガラス支持体３の位置も上方に変位し、しかもブラケット２の熱膨張の影響をもろに受けるため、その全膨張量がそのままガラス支持体の変位に反映するという問題を有していた。
【０００５】
このため、ガラス支持体の変位量が大きいばかりでなく、ベースプレート上に植立した複数個のピンシールポストの膨張量に差違が生じると、ガラス支持体の上面に狂いが発生し、パネルガラスを正確に保持できなくなる。このようなガラス支持体の変位は、ブラケット２をベースプレート５に直接に設置する限り避けることができない。
【０００６】
本発明は、ブラケットが熱膨張してもその影響がガラス支持体に及ばない構成にして、ガラス支持体の位置が変動するのを抑制できるパネルガラス支持具を提供することを目的とする。
【０００７】
【課題を解決するための手段】
本発明は、前述の課題を解決すべくなされたものであり、ベースプレートに植立した支柱と、該支柱に取り付けられたブラケットと、該ブラケット内に埋設した発熱体と、該ブラケットの上部に保持したガラス支持体を具備し、該ガラス支持体がブラケットを介して前記発熱体により加熱されるようになっており、前記ブラケットの上部側壁を支柱に取り付けられていることを特徴とするパネルガラス支持具を提供する。これにより、ブラケットに発生する熱膨張がガラス支持体に及ぶのを防止し、ガラス支持体の変位を抑制する。
【０００８】
【発明の実施の形態】
以下、添付図面に従って本発明の実施例を具体的に説明する。
図１は、本発明のパネルガラス支持具の側面図である。図１において、ガラス支持体３はブラケット２の上端に保持され、かつブラケット２に埋め込まれた発熱体４により加熱もしくは保温される。ブラケット２は支柱１に取り付けられ、その下端はベースプレート５と分離している。
【０００９】
このブラケット２と支柱１との取り付け構造について詳述すれば、ブラケット２は上部側壁の一部で支柱１に溶接又はねじ止め等により取り付けられる。ブラケット２の熱膨張がガラス支持体に及ばないようにするには、ブラケット２の上端部に近い部分の側壁で支柱１に取り付けられていることが重要であり、更に具体的にはブラケット２のガラス支持体３が保持されている部分又はその近傍の側壁であり、ブラケット２の前記上部側壁とはこの領域を指す。支柱１との取り付け位置が上端に近いほどブラケット２の熱膨張の影響が小さくなるので、通常は図１に例示するように側壁の最上端で支柱１に取り付けるのがよい。
【００１０】
ブラケット２がこのように取り付けられていると、ブラケット２が発熱体４によって加熱されて膨張するとき、自由端である下方向に伸びガラス支持体が位置する上方向には影響が及ばないため、ブラケット２の熱膨張によるガラス支持体３の位置の変動を抑制することができる。
【００１１】
さらに、本発明の好ましい実施形態では、支柱１の温度を制御することで、支柱１の熱膨張又は熱変形の影響を排除するようにしている。ブラケット２が加熱されると、該ブラケット２と向かい合う支柱１の側面は加熱され、支柱１自体が膨張したり、さらにその反対側の側面との間に温度差が生じるために、支柱１が熱変形し反りが発生することがある。このような現象は、支柱１とブラケット２とが近接している場合に、熱影響を強く受けるので特に著しくなる。
【００１２】
そこで、支柱１に温度制御手段を設けて温度を制御することにより、支柱１の熱膨張又は熱変形を防止又は軽減し、支柱１に反りが生じるのを防ぐ。この温度制御手段の最も簡便な方法は、図示しないが支柱１のブラケット２との向かい合う側面に熱反射手段又は断熱材を設けるとよい。これによりブラケット２からの熱をこれらで遮断し、支柱に伝わらないようにすることができる。
【００１３】
さらに他の方法として、ブラケット２と向かい合う側壁及びその反対側の側壁に加熱手段又は冷却手段を設けて、両側壁の温度が概ね等しくなるように温度制御する方法がある。図２は加熱手段の場合の一例で、ブラケット２と向かい合う側壁及びその反対側の側壁にヒーター６を貼り付け、各ヒーターの出力を制御して両側壁の温度を概ね等しくする。この場合、ヒーター６を支柱１のブラケット２と反対側の側面のみに設けることもできる。
【００１４】
さらにまた、支柱１の熱的影響を解決するには、支柱１をコバール等の熱膨張率が低い材質で形成するのが有効である。具体的には、支柱１の室温から３００℃までの温度域の熱膨張率が、６×１０-6／℃以下であるのが望ましい。支柱がブラケットから受ける熱で加熱されても３００℃を超えることはほとんどないので、前記温度範囲の熱膨張率が６×１０-6／℃以下であれば、支柱１の熱膨張又は熱変形を支障ない範囲に留めることができる。したがって、支柱１を低熱膨張の材質にするだけで、ブラケット２からの熱的影響に対し相当の効果が得られるが、前記の温度制御手段と組み合わせることにより効果は一層大きくなる。
【００１５】
なお、本発明においてパネルガラス支持具を取り付ける、更に正確にはその支柱１の下端を固定するベースプレート５は、単一の板状体のほかにパネルガラス支持具を取り付けできる基体であれば、その形態は板状体に特定されることなく適宜選択できる。例えば４個のパネルガラス支持具で高温のパネルガラスの内面対角部を安定保持するため、従来から知られているように（例えば特公昭４９−３８７３９参照）、対角に位置する一対のパネルガラス支持具はベースプレートに固定して設け、他の一対のパネルガラス支持具は浮動状態に取り付ける場合の支持体又は支持杆を含むものである。
【００１６】
【発明の効果】
本発明は、ブラケット内に設けた発熱体により該ブラケットの上端に保持したガラス支持体を加熱するようにしたパネルガラス支持具において、前記ブラケットをベースプレートに植立した支柱にブラケットの上部側壁で取り付けることにより、ブラケットの熱膨張を所望の方向に逃すことができるので、ガラス支持体がブラケットの熱膨張で変位するのを抑制できる。これにより高温のパネルガラスを正確な位置に支持することが可能となり、カラーピンの封着装置に用いた場合、必要とする製品寸度の向上が図れる。
【００１７】
また、本発明の前記支柱の温度を制御することにより支柱の反りを抑制し、ブラケットが傾斜することによるガラス支持体の高さ変動への影響を防止できる。
【図面の簡単な説明】
【図１】本発明の実施例に係るパネルガラス支持具の側面図。
【図２】本発明の他の実施例で、図１の支柱側面にヒーターを貼り付けた場合の側面図。
【図３】従来のパネルガラス支持具の側面図。
【符号の説明】
１：支柱
２：ブラケット
３：ガラス支持体
４：発熱体
５：ベースプレート
６：ヒーター